(57)【要約】【課題】カップ形状の吸収性物品を提供する。【解決手段】尿パッド１ａは、排泄物を受けるシート部材２と、シート部材２に分散配置され、異なる二つの方向にシート部材２の面を収縮する複数の弾性部材３とを備えている。そして、シート部材２の中央領域よりも周縁領域の方が、複数の弾性部材３による収縮率が大きいことから、シート部材２をカップ形状に容易に成形することができる。複数の弾性部材３はシート部材２の面全体に分散して配置されていることから、シート部材２はカップ形状にスムーズに成形されるとともに、その形状を安定させることができる。【選択図】図１
2008206656.tif 000002
【特許請求の範囲】
【請求項１】
他の着用物品の肌面側に配置して使用され、使用者の排泄物を吸収する吸収性物品であって、
前記排泄物を受けるシート部材と、
前記シート部材に分散配置され、異なる少なくとも二つの方向に前記シート部材の面を収縮する複数の弾性部材と、
を備え、
前記シート部材の中央領域よりも周縁領域の方が、前記複数の弾性部材による収縮率が大きいことを特徴とする吸収性物品。
【請求項２】
請求項１に記載の吸収性物品において、
前記シート部材は、互いに目付の異なる第１シートと第２シートとを重ねて備え、
前記複数の弾性部材は、第１シートと第２シートとの間に配置されることを特徴とする吸収性物品。
【請求項３】
請求項１または２に記載の吸収性物品において、
前記複数の弾性部材のうち隣り合う弾性部材同士の間隔は、前記シート部材の前記中央領域よりも前記周縁領域の方が小さいことを特徴とする吸収性物品。
【請求項４】
請求項１ないし３のいずれかに記載の吸収性物品において、
前記複数の弾性部材の一つあたりの収縮力は、前記シート部材の前記中央領域よりも、前記周縁領域の方が大きいことを特徴とする吸収性物品。
【請求項５】
請求項１ないし４のいずれかに記載の吸収性物品において、
前記排泄物を吸収する第１吸収体が、前記シート部材の前記中央領域に配置されることを特徴とする吸収性物品。
【請求項６】
請求項５に記載の吸収性物品において、
前記排泄物を吸収する第２吸収体が、前記第１吸収体に対して、カップ形状の前記シート部材の開口側に配置されることを特徴とする吸収性物品。
【請求項７】
請求項６に記載の吸収性物品において、
前記第１吸収体と前記第２吸収体との間に、カップ形状の前記シート部材の対向側面を掛け渡すバンド部材、
をさらに備えることを特徴とする吸収性物品。
【請求項８】
他の着用物品の肌面側に配置して使用され、使用者の排泄物を吸収する吸収性物品であって、
前記排泄物を受けるシート部材と、
前記シート部材に分散配置され、異なる少なくとも二つの方向に前記シート部材の面を収縮する複数の弾性部材と、
を備え、
前記シート部材は、互いに目付の異なる第１シートと第２シートとを重ねて備え、
前記複数の弾性部材は、前記第１シートと前記第２シートとの間に配置されることを特徴とする吸収性物品。
【発明の詳細な説明】
【技術分野】
【０００１】
本発明は、他の着用物品の肌面側に配置して使用され、使用者の排泄物を吸収する吸収性物品に関する。
【背景技術】
【０００２】
他の着用物品の肌面側に配置して使用され使用者の排泄物を吸収する吸収性物品として、例えば、尿の吸収を主目的とした尿パッドが知られている。尿パッドは、使い捨てパンツ（パンツ型のおむつ）などの肌面側で、着用者の尿道口に対応する位置に配置して使用される。このような尿パッドを使用すれば、着用者の尿は尿パッドに吸収されるため、尿パッドの外側のアウター（使い捨てパンツなど）の汚れを防止できる。このため、着用者が排尿した場合は、アウターを取り替えずに尿パッドのみを取り替えるだけでよいため経済的である。
【０００３】
なお、本発明に関連する技術を開示する先行技術文献として、下記の文献がある。
【０００４】
【特許文献１】特表２０００−５０００５２号公報
【発明の開示】
【発明が解決しようとする課題】
【０００５】
ところで、従来の尿パッドはおよそ平面的に形成されていたことから、尿パッドの外部に尿が漏れ出し、使い捨てパンツ等のアウターを汚してしまうことがあった。このため、尿などの排泄物の漏れを防止できるように、カップ形状の吸収性物品が要望されていた。しかしながら、吸収性物品をカップ形状に成形することは容易でなかった。
【０００６】
本発明は、上記課題に鑑みてなされたものであり、カップ形状の吸収性物品を提供することを目的とする。
【課題を解決するための手段】
【０００７】
上記課題を解決するため、請求項１の発明は、他の着用物品の肌面側に配置して使用され、使用者の排泄物を吸収する吸収性物品であって、前記排泄物を受けるシート部材と、前記シート部材に分散配置され、異なる少なくとも二つの方向に前記シート部材の面を収縮する複数の弾性部材と、を備え、前記シート部材の中央領域よりも周縁領域の方が、前記複数の弾性部材による収縮率が大きい。
【０００８】
また、請求項２の発明は、請求項１に記載の吸収性物品において、前記シート部材は、互いに目付の異なる第１シートと第２シートとを重ねて備え、前記複数の弾性部材は、第１シートと第２シートとの間に配置される。
【０００９】
また、請求項３の発明は、請求項１または２に記載の吸収性物品において、前記複数の弾性部材のうち隣り合う弾性部材同士の間隔は、前記シート部材の前記中央領域よりも前記周縁領域の方が小さい。
【００１０】
また、請求項４の発明は、請求項１ないし３のいずれかに記載の吸収性物品において、前記複数の弾性部材の一つあたりの収縮力は、前記シート部材の前記中央領域よりも、前記周縁領域の方が大きい。
【００１１】
また、請求項５の発明は、請求項１ないし４のいずれかに記載の吸収性物品において、前記排泄物を吸収する第１吸収体が、前記シート部材の前記中央領域に配置される。
【００１２】
また、請求項６の発明は、請求項５に記載の吸収性物品において、前記排泄物を吸収する第２吸収体が、前記第１吸収体に対して、カップ形状の前記シート部材の開口側に配置される。
【００１３】
また、請求項７の発明は、請求項６に記載の吸収性物品において、前記第１吸収体と前記第２吸収体との間に、カップ形状の前記シート部材の対向側面を掛け渡すバンド部材、をさらに備えている。
【００１４】
また、請求項８の発明は、他の着用物品の肌面側に配置して使用され、使用者の排泄物を吸収する吸収性物品であって、前記排泄物を受けるシート部材と、前記シート部材に分散配置され、異なる少なくとも二つの方向に前記シート部材の面を収縮する複数の弾性部材と、を備え、前記シート部材は、互いに目付の異なる第１シートと第２シートとを重ねて備え、前記複数の弾性部材は、前記第１シートと前記第２シートとの間に配置される。
【発明の効果】
【００１５】
請求項１ないし７の発明によれば、シート部材の中央領域よりも周縁領域の方が複数の弾性部材による収縮率が大きいため、シート部材をカップ形状に容易に成形することができる。その結果、吸収性物品の外部への排泄物の漏れを防止できる。
【００１６】
また、特に請求項２の発明によれば、複数の弾性部材は目付の異なる第１シートと第２シートとの間に配置されることから、目付の小さいシートの側を内側として、シート部材をカーブさせることができる。その結果、シート部材をカップ形状にさらに容易に成形することができる。
【００１７】
また、特に請求項３の発明によれば、隣り合う弾性部材同士の間隔がシート部材の中央領域よりも周縁領域の方が小さいことから、シート部材の中央領域よりも周縁領域の方が複数の弾性部材による収縮率を容易に大きくすることができる。
【００１８】
また、特に請求項４の発明によれば、弾性部材の一つあたりの収縮力はシート部材の中央領域よりも周縁領域の方が大きいことから、シート部材の中央領域よりも周縁領域の方が複数の弾性部材による収縮率を容易に大きくすることができる。
【００１９】
また、特に請求項５の発明によれば、カップの底面となるシート部材の中央領域に第１吸収体が配置されるため、カップの底面に蓄積する排泄物を効率よく第１吸収体に吸収させることができる。
【００２０】
また、特に請求項６の発明によれば、第１吸収体に対してカップ形状のシート部材の開口側に第２吸収体が配置されるため、第２吸収体が尿道口に近接して、尿を効率よく吸収することができる。
【００２１】
また、特に請求項７の発明によれば、バンド部材により第２吸収体の位置が安定し、第２吸収体を尿道口に確実に密接させるができる。また、第２吸収体と第１吸収体とが離間するため、それぞれが他の吸収体の影響を受けず、効率よく排泄物を吸収できる。
【００２２】
また、請求項８の発明によれば、複数の弾性部材は目付の異なる第１シートと第２シートとの間に配置されることから、目付の小さいシートの側を内側としてシート部材をカーブさせてカップ形状に容易に成形することができる。その結果、吸収性物品の外部への排泄物の漏れを防止できる。
【発明を実施するための最良の形態】
【００２３】
以下、図面を参照しつつ、本発明の実施の形態について説明する。
【００２４】
＜１．第１の実施の形態＞
＜１−１．尿パッドの構成＞
図１は、第１の実施の形態に係る吸収性物品である尿パッド１ａを示す斜視図である。また、図２は図１のII−II位置における断面図であり、図３は図１のIII−III位置における断面図である。この尿パッド１ａは、主に女性用の補助吸収具として、使い捨てパンツ（パンツ型のおむつ）など他の着用物品（アウター）の肌面側に配置して使用され、使用者の排泄物（主に尿）を吸収する。
【００２５】
図１ないし図３に示すように、尿パッド１ａは全体として、およそ直方体の内部空間１０を有するカップ形状となっている。具体的には、尿パッド１ａは、カップの底となる底面部１３と、カップの側面となる側面部１２と、カップの開口部から外側に張り出したつば部１１とを有している。
【００２６】
底面部１３はおよそ長方形の形状を有し、長方形の各辺に相当する位置から側面部１２が配置される。したがって、側面部１２は、尿パッド１ａの長手方向及び短手方向のそれぞれで対向している。これらの底面部１３及び側面部１２により、およそ直方体の空間（以下、「カップ空間」という。）１０が形成される。このカップ空間１０が、排泄物を蓄積する空間として機能する。つば部１１は、カップ空間１０の開口部の周縁全体を囲むように、側面部１２の端部から外側に張り出して形成されている。
【００２７】
また、底面部１３には、尿などの排泄物を吸収する略長方形状の吸収体４が配置される。この吸収体４が、カップ空間１０の底に蓄積された排泄物を吸収する。吸収体４は、例えば、粉砕したパルプ繊維やセルロース繊維等の親水性繊維集合層に粒状のポリマー（高分子吸水体）を混合した吸収コアを、ティッシュペーパー等の被覆シートで包んで構成される。
【００２８】
このような尿パッド１ａを構成する主要素は、一つのシート部材２である。図２及び図３に示すように、シート部材２は、表面シート２１、中層シート２２、及び、背面シート２３の３つのシートを重ねて構成されている。これら３つのシートは、カップ空間１０が形成される側から、表面シート２１、中層シート２２、背面シート２３の順で配置される。
【００２９】
表面シート２１と背面シート２３とは、略同一サイズの不織布で構成される。一方、中層シート２２は、表面シート２１及び背面シート２３よりも小さいサイズの不織布で構成される。これにより、中層シート２２はその全体が、表面シート２１と背面シート２３との間に挟まれた状態とされる。
【００３０】
表面シート２１の素材としては透液性の不織布が採用され、中層シート２２の素材としては撥水性の不織布が採用される。また、背面シート２３の素材としては、透液性及び撥水性のいずれの不織布が採用されてもよい。
【００３１】
透液性の不織布としては、親水性繊維（セルロース、レーヨン、コットン等）を用いた不織布、あるいは、疎水性繊維（ポリプロピレン，ポリエチレン，ポリエステル，ポリアミド、ナイロン等）の表面を界面活性剤により処理して透液性とした不織布が挙げられる。一方、撥水性の不織布としては、疎水性繊維（ポリプロピレン、ポリエチレン、ポリエステル、ポリアミド、ナイロン等）を用いた不織布が挙げられる。なお、中層シート２２の素材としては、撥水性の不織布に代えて、プラスチックフィルムや、不織布とプラスチックフィルムとの複合材料等が利用されてもよい。
【００３２】
図２及び図３に示すように、吸収体４は、透液性の表面シート２１と、撥水性の中層シート２２との間に挟まれて配置される。したがって、カップ空間１０に入り込んだ排泄物は、表面シート２１に到達すると、表面シート２１を透過して吸収体４に吸収される。そして、吸収体４に吸収された排泄物の外部への染み出しは、中層シート２２によって防止されることになる。
【００３３】
また、表面シート２１に採用される不織布と、背面シート２３に採用される不織布とでは、その目付が異なっている。具体的には、表面シート２１の不織布の方が、背面シート２３の不織布よりも目付が小さくなっている。ここで「目付」とは、「単位面積あたりの重さ（ｇ／平米）」である。
【００３４】
また、シート部材２の表面シート２１と背面シート２３との間には、複数の糸状の弾性部材３が挟まれて伸長状態で接着されている。正確には、側面部１２では表面シート２１と中層シート２２との間、底面部１３では吸収体４と中層シート２２との間に、弾性部材３が配置される（図２及び図３参照。）。
【００３５】
シート部材２を構成する表面シート２１、中層シート２２及び背面シート２３は、もともとは平面形状である。このような平面形状のシート部材２に、複数の弾性部材３を伸長状態で接着すれば、複数の弾性部材３によってシート部材２の面が収縮する。この収縮により、平面形状のシート部材２が、図１に示すようなカップ形状に成形される。すなわち、上述した尿パッド１ａの形状は、複数の弾性部材３でシート部材２をカップ形状に成形することで得られたものとなる。
【００３６】
弾性部材３の素材としては、ポリウレタン糸や天然ゴム等の一般的な吸収性物品に用いられる弾性伸縮材料を用いることができる。また、弾性部材３の接着には、ホットメルト接着剤を用いた接着、熱溶着、超音波溶着等の接着手法が採用できる。
【００３７】
図４は、弾性部材３を伸張させた状態における尿パッド１ａを示す図である。図４に示すように、弾性部材３を伸張させた状態では、シート部材２の面はおよそ正方形となる。
【００３８】
このシート部材２の面全体に、その面内に沿って、複数の弾性部材３が格子状に分散して配置されている。複数の弾性部材３は、シート部材２の面の辺で規定される互いに直交する二つの方向のそれぞれに沿って配置されている。図４中では、この互いに直交する二つの方向を、Ｘ方向、及び、Ｙ方向としている。Ｘ方向及びＹ方向はそれぞれ、弾性部材３を収縮させた状態において、尿パッド１ａの短手方向及び長手方向となる。
【００３９】
複数の弾性部材３は、シート部材２の面全体に均一に配置されるわけではなく、中央領域よりも周縁領域の方が、収縮率が大きくなるように配置されている。なお、本明細書において、「収縮率」とは「単位長さあたりの収縮幅」の意で用いる。
【００４０】
図４に示すように、Ｘ方向に関して、シート部材２の面は、中央部Ｘ３と、周縁部Ｘ１と、それらの間の中間部Ｘ２とに区分される。そして、Ｙ方向に沿って配置される弾性部材３に注目すると、隣り合う弾性部材３の間隔は、周縁部Ｘ１が最も小さく、中間部Ｘ２が次に小さく、中央部Ｘ３が最も大きくなっている。したがって、弾性部材３によるＹ方向への収縮率は、周縁部Ｘ１、中間部Ｘ２、中央部Ｘ３の順に大きい。
【００４１】
同様に、Ｙ方向に関しても、シート部材２の面は、中央部Ｙ３と、周縁部Ｙ１と、それらの間の中間部Ｙ２とに区分される。そして、Ｘ方向に沿って配置される弾性部材３に注目すると、隣り合う弾性部材３の間隔は、周縁部Ｙ１が最も小さく、中間部Ｙ２が次に小さく、中央部Ｙ３が最も大きくなっている。したがって、弾性部材３によるＸ方向への収縮率は、周縁部Ｙ１、中間部Ｙ２、中央部Ｙ３の順に大きい。
【００４２】
ここで、シート部材２の面において、中央部Ｘ３と中央部Ｙ３とが重なる領域を「中央領域」、周縁部Ｘ１，Ｙ１の領域を「周縁領域」、その他の領域を「中間領域」とすると、上述した弾性部材３の配置によって、シート部材２の面では、周縁領域、中間領域、中央領域の順で、複数の弾性部材３による収縮率が大きくなる。つまり、複数の弾性部材３を収縮させると、中央領域はあまり縮まないが、中間領域は中央領域よりも大きく縮み、周縁領域はさらに大きく縮むことになる。したがって、シート部材２は、その中央領域が凹んだ立体的な形状、すなわちカップ形状となる。
【００４３】
また、前述したように、複数の弾性部材３は、互いに目付の異なる表面シート２１の不織布と背面シート２３の不織布との間に配置される。したがって、複数の弾性部材３を収縮させると、目付の小さい表面シート２１の側を内側としてシート部材２が立体的にカーブすることになる。これらの結果、シート部材２を、図１に示すような、カップ形状とすることができることになる。
【００４４】
シート部材２の中央領域は、弾性部材３を収縮させると、尿パッド１ａの底面部１３となる。このため、吸収体４は、その長手方向がＹ方向（すなわち、尿パッド１ａの長手方向）に沿うようにして、シート部材２の中央領域に配置される。また、シート部材２の中間領域は、弾性部材３を収縮させると、尿パッド１ａの側面部１２となる。シート部材２において、Ｙ方向の中央部Ｙ３の方がＸ方向の中央部Ｘ３よりも広い。このため、複数の弾性部材３を収縮させると、Ｙ方向を長手方向、Ｘ方向を短手方向とするカップ空間１０が形成される。
【００４５】
また、周縁領域は、尿パッド１ａのつば部１１となる。このつば部１１は、シート部材２において、尿パッド１ａの側面部１２となる中間領域の周縁側に、当該中間領域よりも複数の弾性部材３による収縮率がさらに大きくなる周縁領域を設けることで形成される。
【００４６】
＜１−２．尿パッドの使用＞
次に、上記のように構成される尿パッド１ａを使用した場合の作用について説明する。前述のように、尿パッド１ａは、使い捨てパンツなどのアウターの肌面側に配置して使用される。図５は、アウターとなる使い捨てパンツ９の肌面側に尿パッド１ａを配置した様子を示す図である。図５では、使い捨てパンツ９については、使用者の股部に対応する一部分を示している。
【００４７】
なお以下では、使用者が使い捨てパンツ９を装着したときに、使用者の股部の前後方向（腹部から背中にかけての方向）に対応する使い捨てパンツ９の方向（図１の縦方向）を「前後方向」といい、使用者にとって左右方向に対応する使い捨てパンツ９の方向（図１の横方向）を「左右方向」という。図５は、左右方向に沿った使い捨てパンツ９及び尿パッド１ａの断面図となっている。
【００４８】
使い捨てパンツ９は、尿などの排泄物を吸収する吸収体９３を、トップシート９１とバックシート９２とで挟んだ積層構造を有している。また、使い捨てパンツ９の左右方向の両端部にはそれぞれ、サイドシート９４が設けられている。このサイドシート９４の内側の端部には糸ゴム９６が配されており、この糸ゴム９６の収縮によってサイドシート９４の一部が肌面側に向かって立ち上がり、立体ギャザー９５として機能する。
【００４９】
尿パッド１ａは、このような使い捨てパンツ９の肌面側における、使用者の尿道口に対応する位置に配置される。この際、尿パッド１ａの長手方向が使い捨てパンツ９の前後方向に沿い、かつ、尿パッド１ａのカップ空間１０の開口側が肌面側に向くように、尿パッド１ａは配置される。また、尿パッド１ａの底面部１３及び側面部１２（カップ形状の部分）は、一対の立体ギャザー９５の相互間（立体ギャザー９５の内側）に配置されるとともに、尿パッド１ａのつば部１１は立体ギャザー９５の外側に配置される。
【００５０】
このようにして尿パッド１ａを取り付けた使い捨てパンツ９を着用すると、尿パッド１ａのカップ空間が、使用者の尿道口を覆うことになる。そして、尿パッド１ａの側面部１２の端部（側面部１２とつば部１１との境界部分）が使用者に密接し、カップ空間の開口部がふさがれる。
【００５１】
したがって、使用者が排尿した場合を想定すると、尿は全て尿パッド１ａのカップ空間に入り込んで、その底面に蓄積される。そして、蓄積された尿は、尿パッド１ａの底面部１３にある吸収体４によって吸収される。尿はカップ空間の底面に蓄積されるとともに、そのカップ空間の開口部はふさがれた状態となっているため、尿パッド１ａの外部への尿の漏れが確実に防止されることになる。これにより、尿の漏れによって、使い捨てパンツ９が汚れることも防止される。
【００５２】
また、このような使用中においては、尿パッド１ａのつば部１１が、図５において矢印Ａ１に示す向きに使用者の脚によって押圧される。これにより、尿パッド１ａの側面部１２とつば部１１とが立体ギャザー９５を挟み込む状態となり、尿パッド１ａの位置が安定する。その結果、尿パッド１ａの外部への尿の漏れがさらに有効に防止されることになる。
【００５３】
以上のように、本実施の形態の尿パッド１ａは、排泄物を受けるシート部材２と、該シート部材２に分散配置されて異なる二つの方向にシート部材２の面を収縮する複数の弾性部材３とを備えている。そして、シート部材２の中央領域よりも周縁領域の方が、複数の弾性部材３による収縮率が大きいことから、シート部材２をカップ形状に容易に成形することができる。複数の弾性部材３はシート部材２の面全体に分散して配置されていることから、シート部材２の一部に無理な収縮力が加わることもなく、シート部材２はカップ形状にスムーズに成形される。また、面全体に分散配置された複数の弾性部材３により、外力が加わってもシート部材２の形状が崩れにくいため、シート部材２の形状を安定的にカップ形状とすることができる。
【００５４】
また、シート部材２は、互いに目付の異なる表面シート２１と背面シート２３とを重ねて備えており、複数の弾性部材３は表面シート２１と背面シート２３との間に配置されている。このため、複数の弾性部材３を収縮させると、目付の小さい表面シート２１の側を内側としてシート部材２を立体的にカーブさせることができる。これにより、シート部材２をカップ形状にさらに容易に成形することができる。その結果、尿パッド１ｂの外部への排泄物の漏れを防止できる。
【００５５】
また、吸収体４は、尿パッド１ａの底面部１３となるシート部材２の中央領域に配置されるため、カップ空間の底面に蓄積された尿を効率よく吸収体４に吸収させることができる。
【００５６】
＜２．第２の実施の形態＞
次に、第２の実施の形態について説明する。図６は、第２の実施の形態に係る吸収性物品である尿パッド１ｂを示す斜視図である。また、図７は図６のVII−VII位置における断面図であり、図８は図６のVIII−VIII位置における断面図である。
【００５７】
第２の実施の形態の尿パッド１ｂは、第１の実施の形態の尿パッド１ａと同様の構成に加え、さらに補助吸収体５を備えている。この補助吸収体５も、尿などの排泄物を吸収するものであり、底面部１３に配置される吸収体（以下、「主吸収体」という。）４に対し、カップ空間１０の開口部の側（つまり、使用時における肌面側）に配置される。補助吸収体５の形状も略長方形状であり、そのサイズは主吸収体４よりも小さくなっている。補助吸収体５は、その長手方向がカップ空間１０の長手方向に沿うように配置される。
【００５８】
補助吸収体５は、主吸収体４と同様に、粉砕したパルプ繊維やセルロース繊維等の親水性繊維集合層に粒状のポリマーを混合した吸収コアを、ティッシュペーパー等の被覆シートで包んで構成されている。
【００５９】
図７及び図８に示すように、この補助吸収体５は、透液性の不織布で構成される外装シート５１で包まれている。尿パッド１ｂの長手方向（図８参照）では、外装シート５１のサイズが補助吸収体５のサイズよりも大きくなっている。そして、外装シート５１の長手方向の両端部５１ａはそれぞれ、カップ空間１０の内側における側面部１２の長手方向の対向部分（尿パッド１ｂの長手方向の対向側面）に、カップ空間１０の底に向けた状態で接着される。これにより、補助吸収体５は、主吸収体４からカップ空間１０の開口部の側に浮いた状態で、カップ空間１０の開口部におよそ沿うように配置される。
【００６０】
第２の実施の形態の尿パッド１ｂも、第１の実施の形態と同様に使用することができる。尿パッド１ｂでは、カップ空間１０の開口部に沿うように補助吸収体５が配置されていることから、使用中においては、補助吸収体５が使用者の尿道口に近接する。
【００６１】
したがって、使用者が排尿した場合を想定すると、尿は飛散することなく直接的に補助吸収体５に接触するため、補助吸収体５で尿を効率よく吸収することができる。また、補助吸収体５を包んでその位置を保持する外装シート５２は、カップ空間１０の底に向けて固定されることから、補助吸収体５から尿が漏れだしたとしても、尿はカップ空間１０の底に導かれる。したがって、尿パッド１ｂの外部への尿が漏れることも有効に防止される。
【００６２】
＜３．第３の実施の形態＞
次に、第３の実施の形態について説明する。図９は、第３の実施の形態に係る吸収性物品である尿パッド１ｃを示す斜視図である。また、図１０は図９のX−X位置における断面図である。
【００６３】
第３の実施の形態の尿パッド１ｃは、第２の実施の形態の尿パッド１ｂと同様の構成に加え、さらに主吸収体４と補助吸収体５との間に、バンド部材６を備えている。バンド部材６は、帯状の部材であり、その両端部はそれぞれ、カップ空間１０の内側における側面部１２の短手方向の対向部分に接着されている。すなわち、バンド部材６は、カップ空間１０の補助吸収体５よりも底側に、尿パッド１ｂの短手方向の対向側面を掛け渡すように配置されている。
【００６４】
このバンド部材６は、２枚の帯状の不織布シート６１の間に、複数の糸状の弾性部材６２を伸張状態で挟んで接着して構成されている。このため、バンド部材６は、その長手方向（すなわち、尿パッド１ｂの短手方向）に伸張可能となっている。なお、バンド部材６は、このような弾性部材６２を設けていない、単なる帯状の不織布シートで構成してもよい。
【００６５】
このようなバンド部材６を配置すれば、補助吸収体５がバンド部材６に支持され、補助吸収体５の位置が安定する。このため、補助吸収体５を主吸収体４から安定して離間させることができるため、それぞれの吸収体４，５が、他の吸収体の影響を受けずに効率よく尿を吸収できることになる。
【００６６】
また、補助吸収体５の位置を、カップ空間１０の開口部に沿った状態で安定させることができることから、使用中において、補助吸収体５を使用者の尿道口に密接させることができる。したがって、補助吸収体５で尿をさらに効率よく吸収することができる。
【００６７】
さらに、尿パッド１ｂの短手方向の対向側面がバンド部材６によって掛け渡されることから、尿パッド１ｂが短手方向に大きく拡がらず、尿パッド１ｂのカップ形状を保持することが可能である。その結果、尿パッド１ｂの外部への尿の漏れが有効に防止される。
【００６８】
＜４．第４の実施の形態＞
次に、第４の実施の形態について説明する。第４の実施の形態に係る吸収性物品である尿パッドは、第２の実施の形態の尿パッド１ｂと略同様の構成であるが、補助吸収体５を保持する外装シート５１の固定手法が異なっている。図１１は、第４の実施の形態の尿パッド１ｄの長手方向の断面図である。
【００６９】
図１１に示すように、尿パッド１ｄにおいては、外装シート５１の長手方向の両端部５１ａが、つば部１１に対して接着されている。そして、このつば部１１においては、外装シート５１の接着位置を覆うように、不織布である押えシート２４が配置されている。その他の構成は、第２の実施の形態の構成（図６ないし図８の構成）と同一である。
【００７０】
このように、補助吸収体５を保持する外装シート５１をつば部１１に対して接着する構成を採用すると、外装シート５１の接着が容易となり、尿パッド１ｄの製造コストを低減できる。また、補助吸収体５の位置がつば部１１の位置によって規定されるため、補助吸収体５がカップ空間１０の底側に大きく沈み込むこともない。このため、第３の実施の形態のようなバンド部材６が無くても、補助吸収体５を、主吸収体４から離間させてカップ空間１０の開口部に沿う状態に安定させることができる。なお、第４の実施の形態の尿パッド１ｄにおいても、第３の実施の形態のようなバンド部材６を設けても良いことはもちろんである。
【００７１】
＜５．他の実施の形態＞
以上、本発明の実施の形態について説明してきたが、この発明は上記実施の形態に限定されるものではなく様々な変形が可能である。以下では、このような他の実施の形態について説明する。もちろん、以下で説明する形態を適宜に組み合わせてもよい。
【００７２】
上記実施の形態では、隣り合う弾性部材３の間隔を異ならせることで、シート部材２の中央領域、中間領域及び周縁領域で収縮率を変更するようにしていた。これに対して、隣り合う弾性部材の間隔は一定とし、弾性部材の一つあたりの収縮力を異ならせることで、シート部材２の中央領域、中間領域及び周縁領域で収縮率を変更するようにしてもよい。
【００７３】
すなわち、図４に示すシート部材２の周縁部Ｘ１，Ｙ１に最も太い弾性部材３を配置し、中間部Ｘ２，Ｙ２に次に太い弾性部材３を配置し、中央部Ｘ３，Ｙ３に最も細い弾性部材３を配置する。つまり、弾性部材３の一本あたりの収縮力が、周縁領域が最も強く、中間領域が次に強く、中央領域が最も弱くなるようにする。これによっても、シート部材２の面では、周縁領域、中間領域、中央領域の順で、複数の弾性部材３による収縮率を大きくすることができる。なお、隣り合う弾性部材の間隔と、弾性部材の一つあたりの収縮力との双方を異ならせて、シート部材２の中央領域、中間領域及び周縁領域で収縮率を変更してもよい。
【００７４】
また、上記実施の形態では、複数の弾性部材３は、互いに直交する二つの方向（Ｘ方向及びＹ方向）にシート部材２の面を収縮するものであったが、異なる二つの方向にシート部材２の面を収縮すれば、収縮する方向は直交方向でなくてもよい。また、複数の弾性部材３は、三以上の方向にシート部材２の面を収縮するものであってもよい。
【００７５】
また、上記実施の形態では、シート部材２の面はおよそ正方形であるとして説明したが、長方形、円形、楕円形など他の形状であってもよい。
【００７６】
また、上記実施の形態では、アウター（着用物品）として使い捨てパンツ９を使用する場合を例として説明したが、アウターとしては、テープタイプのおむつや一般的な下着などを使用してもよい。
【００７７】
また、第２ないし第４の実施の形態では、補助吸収体５を保持する外装シート５１に関して、その長手方向の両端部をシート部材２に固定していたが、短手方向の両端部をシート部材２に固定してもよい。
【図面の簡単な説明】
【００７８】
【図１】第１の実施の形態の尿パッドを示す斜視図である。
【図２】図１のII−II位置における断面図である。
【図３】図１のIII−III位置における断面図である。
【図４】弾性部材を伸張させた状態における尿パッドを示す図である。
【図５】アウターに尿パッドを配置した様子を示す図である。
【図６】第２の実施の形態の尿パッドを示す斜視図である。
【図７】図６のVII−VII位置における断面図である。
【図８】図６のVIII−VIII位置における断面図である。
【図９】第３の実施の形態の尿パッドを示す斜視図である。
【図１０】図９のX−X位置における断面図である。
【図１１】第４の実施の形態の尿パッドの長手方向の断面図である。
【符号の説明】
【００７９】
２      シート部材
３      弾性部材
４      主吸収体
５      補助吸収体
６      バンド部材
１０      カップ空間
１１      つば部
１２      側面部
１３      底面部
【図１】
2008206656.tif 000003
【図２】
2008206656.tif 000004
【図３】
2008206656.tif 000005
【図４】
2008206656.tif 000006
【図５】
2008206656.tif 000007
【図６】
2008206656.tif 000008
【図７】
2008206656.tif 000009
【図８】
2008206656.tif 000010
【図９】
2008206656.tif 000011
【図１０】
2008206656.tif 000012
【図１１】
2008206656.tif 000013